(57)【特許請求の範囲】
【請求項１】
検体採取棒から検体を抽出する抽出液が収容される検体抽出容器であって、
有底筒状をなす透明の容器本体と、
前記容器本体の開口端筒部に取付けられる抽出補助部材とを備え、
前記抽出補助部材は、前記容器本体の開口端筒部から前記容器本体の底部に向けて延び前記検体採取棒を案内する案内面を有し、
前記案内面が、前記容器本体の開口端筒部側にて前記容器本体の内側と前記容器本体の外側とを通じ前記検体採取棒が通る通路を構成し、且つ、前記開口端筒部よりも前記底部側であって、前記通路の幅として前記開口端筒部での幅よりも小さい幅を有した部分に位置し、前記通路を通る前記検体採取棒と擦れる段差部分を有する
ことを特徴とする検体抽出容器。
【請求項２】
前記容器本体の開口端筒部から前記容器本体の底部を見て、
前記案内面が、前記容器本体の内側に張り出される弧状をなし、前記容器本体の内側面のうち前記案内面と向かい合う部分と前記通路を構成する
請求項１に記載の検体抽出容器。
【請求項３】
前記抽出補助部材が、
前記段差部分を有する部位に前記抽出補助部材を貫通する孔である拡散孔を有する
請求項１又は２に記載の検体抽出容器。
【請求項４】
前記容器本体の開口端筒部が、
前記底部の内径よりも大きい内径を有し、
前記抽出補助部材が、
前記開口端筒部に嵌め込まれる有蓋の筒体状をなす取付け部を有し、
前記取付け部の蓋部が、当該蓋部を貫通する孔である支持孔を有する
請求項１から３のいずれか１つに記載の検体抽出容器。
【請求項５】
前記容器本体の底部が、
前記容器本体の底面を有する第１筒部と、
前記第１筒部の内径よりも大きい内径を有して前記第１筒部の上端部から前記開口端筒部に向けて延びる第２筒部と、
前記容器本体の底面における略中央に形成されて前記開口端筒部に向けて延びる突起と
を有する
請求項１から４のいずれか１つに記載の検体抽出容器。
【請求項６】
前記通路の幅を案内幅とすると、
前記開口端筒部における案内幅が、前記底部における案内幅よりも大きい
請求項１から５のいずれか１つに記載の検体抽出容器。
【請求項７】
前記案内幅が、前記開口端筒部の内部から前記段差部分まで徐々に減少する
請求項６に記載の検体抽出容器。
【発明の詳細な説明】
【技術分野】
【０００１】
本開示の技術は、検体採取棒から検体を抽出する抽出液が収容されて抽出液に抽出される検体を試験に供する検体抽出容器に関する。
【背景技術】
【０００２】
検体採取棒から検体を抽出する検体抽出容器では、検体の抽出される確率を高めることが望まれている。特許文献１に記載される検体抽出容器の容器本体には、互いに平行な平板状部を有する扁平部が開口端部と底部との間に形成されて、平板状部の内側面には、検体採取棒の擦られる突状部が形成されている。そして、平板状部が互いに近づく方向に扁平部が指で押されて、検体採取棒の先端部が突状部に擦られると、検体採取棒に付着する検体が突状部に扱き取られる。これによれば、検体採取棒が単に抽出液に浸けられる態様と比べて、検体の抽出される確率が高められる。また、こうした検体抽出容器の試験方法の一例として、特許文献２では、容器本体の開口部が試験片を固定する蓋体により密封される検体抽出容器が用いられ、試験片の一方の端部が抽出液に浸漬されて試験片に生じる視覚的な変化に基づき判定が行われる。
【先行技術文献】
【特許文献】
【０００３】
【特許文献１】特開２００９−３６７３２号公報
【特許文献２】特許４３９９４９２号公報
【発明の概要】
【発明が解決しようとする課題】
【０００４】
ところで、上述の検体抽出容器では、検体が抽出された後の抽出液である検体液を試験するために所定の試験片が挿入され、検体液の中に所定の物質が含まれるか否かが、目視によって確認される。この際、検体液に対する試験片の挿入は、検体液に異物が混入することを抑えるために、通常は、抽出液が検体抽出容器に収容されている状態で行われる。そして、試験片における検体液の移動の速度や発色の度合いが、検体抽出容器を通じて目視によって確認される。それゆえに、上述の検体抽出容器には、上記抽出と上記試験とが実施されるうえで、少なくとも下記３つの機能が求められる。
【０００５】
まず、指の力で変形する程度の可撓性が、検体抽出容器の周壁部、特に平板状部には求められる。次いで、その平板状部の内側面に突状部が形成される程度の加工性や構造が、平板状部のみならず検体抽出容器の全体に求められる。そして、着色された部位が目視によって確認される程度の透明性が、検体抽出容器の周壁部には求められる。それゆえに、上述の検体抽出容器では、検体抽出容器を形成する材料あるいは検体抽出容器の構造の設計が、先の要請によって余儀なく制約されている。
【０００６】
本開示の技術は、設計の自由度を高めることの可能な検体抽出容器を提供することを目的とする。
【課題を解決するための手段】
【０００７】
本開示の技術における検体抽出容器の一態様は、検体を抽出する抽出液が収容される検体抽出容器であって、有底筒状をなす透明の容器本体と、前記容器本体の開口端筒部に取付けられる抽出補助部材とを備え、前記抽出補助部材は、前記容器本体の開口端筒部から前記容器本体の底部に向けて延びる案内面を有し、前記案内面が、前記容器本体の開口端筒部側にて前記容器本体の内側と前記容器本体の外側とを通じる通路を構成し、且つ、段差部分を有する。
【０００８】
本開示の技術における検体抽出容器の一態様によれば、検体が採取される検体採取棒は、容器本体の内側と容器本体の外側とを通じる通路にて容器本体の内部へ差込まれる。そして、容器本体の内部に差込まれた検体採取棒は、案内面の段差部分に擦れながら抽出液に浸かる。この際、容器本体の内部にて、検体採取棒の差し込まれる空間は、容器本体の内側と容器本体の外側とを通じる通路に制約される。結果として、容器本体の周壁が指によって変形されなくとも、容器本体の内部に検体採取棒が差し込まれる際には、案内面における段差部分と検体採取棒との接触が容易に実現される。それゆえに、容器本体に求められる可撓性の度合いを抑えることが可能となる。
【０００９】
また、容器本体と抽出補助部材とが各別の部材であるから、容器本体の内側面における構造あるいは容器本体を形成する材料に対して、検体採取棒と擦れるうえでの制約が軽減される。また、容器本体の透明性と同じ程度の透明性が抽出補助部材には求められないため、抽出補助部材における構造や材料に対して、容器本体の内部が目視によって確認されるうえでの制約が軽減される。したがって、検体抽出容器における設計の自由度を高めることが可能となる。
【００１０】
本開示の技術における検体抽出容器の他の態様は、前記容器本体の開口端筒部から前記容器本体の底部を見て、前記案内面が、前記容器本体の内側に張り出される弧状をなし、前記容器本体の内側面のうち前記案内面と向かい合う部分と前記通路を構成する。
【００１１】
検体採取棒にて検体が採取される部位は、綿等から形成される楕円体状をなすことが少なくない。本開示の技術における検体抽出容器の他の態様によれば、案内面における断面の形状が、容器本体の内側に張り出される弧状であるから、上述の検体採取棒における外周面と案内面とが接触する確率を高めることが可能となる。結果として、検体採取棒に採取される検体が抽出液に抽出される確率を高めることが可能となる。
【００１２】
本開示の技術における検体抽出容器の他の態様は、前記抽出補助部材が、前記段差部分を有する部位に前記抽出補助部材を貫通する孔である拡散孔を有する。
本開示の技術における検体抽出容器の他の態様によれば、検体採取棒から検体が抽出される部位である段差部分では、抽出補助部材を貫通する拡散孔を通じて、抽出液が流通する。それゆえに、容器本体の内側面と案内面との隙間にて検体が抽出されるとはいえ、こうして抽出される検体は、抽出補助部材における案内面とは反対側の側面にも拡散孔を通じて拡散する。結果として、抽出液の内部にて検体の偏りが抑えられるから、特に検体採取棒に付着した検体が微量である場合にも、試験の信頼性が高まることとなる。
【００１３】
本開示の技術における検体抽出容器の他の態様によれば、前記容器本体の開口端筒部が、前記底部の内径よりも大きい内径を有し、前記抽出補助部材が、前記開口端筒部に嵌め込まれる有蓋の筒体状をなす取付け部を有し、前記取付け部の蓋部が、当該蓋部を貫通する孔である支持孔を有する。
【００１４】
本開示の技術における検体抽出容器の他の態様によれば、検体の試験に供される試験片が、抽出補助部材の蓋部に形成される支持孔を通じて、容器本体の内部に差込まれる。こうして差込まれた試験片は、取付け部の蓋部によって支持されて、容器本体の内部における位置や容器本体の内側面との距離を安定させる。結果として、試験片の位置のばらつきや容器本体の内側面と試験片との距離のばらつきが抑えられるから、特に抽出液の移動する速度が試験片で試験される場合には、その試験の信頼性が高められることとなる。
【００１５】
本開示の技術における検体抽出容器の他の態様は、前記容器本体の底部が、前記容器本体の底面を有する第１筒部と、前記第１筒部の内径よりも大きい内径を有して前記第１筒部の上端部から前記開口端筒部に向けて延びる第２筒部と、前記容器本体の底面における略中央に形成されて前記開口端筒部に向けて延びる突起とを有する。
【００１６】
本開示の技術における検体抽出容器の他の態様によれば、第１筒部における内部の空間が、中央部分と中央部分以外とに突起によって区画される。そして、容器本体の開口端筒部から底面に向けて差込まれる試験片は、底部の内側面によって底面の中央に案内されて、底部の内側面と突起の外側面との間に到達する。この際、第２筒部における内径が、第１筒部における内径よりも大きいため、第２筒部における内側面と試験片との距離も、第１筒部における内側面と試験片との距離よりも大きくなる。結果として、第２筒部における内側面と試験片との接触が抑えられるから、特に抽出液の移動する速度が試験片で試験される場合には、試験の信頼性が高められることとなる。
【００１７】
本開示の技術における検体抽出容器の他の態様は、前記通路の幅を案内幅とすると、前記開口端筒部における案内幅が、前記底部における案内幅よりも大きい。
本開示の技術における検体抽出容器によれば、容器本体の開口端筒部から差込まれる検体採取棒は、まず、通路の幅が相対的に大きい部分を通過する。そして、容器本体の底部に向かう検体採取棒は、通路の幅が相対的に小さい部分に到達する。それゆえに、検体採取棒が開口端筒部における通路の内側面に擦れることを抑えて、開口端筒部における通路の内側面に検体が付着することを抑えることが可能となる。また、検体採取棒が案内面の段差部分と擦れることを促して、検体が抽出液に抽出されることを促すことが可能となる。
【００１８】
本開示の技術における検体抽出容器は、前記案内幅が、前記開口端筒部の内部から前記段差部分まで徐々に減少する。
本開示の技術における検体抽出容器によれば、容器本体の開口端筒部から差込まれる検体採取棒は、通路の幅が徐々に減少する方向に差込まれて段差に到達する。結果として、検体採取棒の先端が案内面から外れることが抑えられて、検体採取棒の先端が段差に到達する確率が高められる。
【図面の簡単な説明】
【００１９】
【図１】本開示の技術における検体抽出容器の一実施形態の全体の断面構造を示す断面図である。
【図２】一実施形態における抽出補助部材の平面構造を示す平面図である。
【図３】一実施形態における抽出補助部材の側面構造を示す側面図である。
【図４】一実施形態における検体抽出容器にて検体が抽出される際の検体抽出容器の初期の状態を示す図である。
【図５】一実施形態における検体抽出容器に検体採取棒が差込まれる際の差込みの態様を示す図である。
【図６】一実施形態における検体抽出容器に試薬片が差込まれる際の差込みの態様を示す図である。
【図７】変形例における検体抽出容器の容器本体に抽出補助部材が取付けられる際の装着の態様を示す図である。
【図８】変形例における検体抽出容器の全体の断面構造を示す断面図である。
【図９】変形例における検体抽出容器の全体の断面構造を示す断面図である。
【発明を実施するための形態】
【００２０】
本開示の技術における検体抽出容器の一実施形態について図１から図６を参照して説明する。まず、検体抽出容器の構成について図１から図３を参照して説明する。
図１に示されるように、検体抽出容器を構成する容器本体１０は、透明性を有して一体的に成形される有底の筒体であり、容器本体１０の内部には、検体抽出容器を構成する抽出補助部材２０が収容されている。
【００２１】
容器本体１０は、断面視略円形の形状であって、同一の軸心を有する３つの筒部が積み重なる３段の円筒形状をなしているが、勿論、断面視矩形でも楕円でも構わない。容器本体１０における３つの筒部は、容器本体１０の底面から順に、底側筒部１１と、中間筒部１２と、開口端筒部１３とによって構成されている。こうした容器本体１０を形成する材料には、無機ガラスや、ポリプロピレン（ＰＰ）、ポリエチレン（ＰＥ）、リニアーローデンシティーポリエチレン（ＬＬＤＰＥ）、ポリスチレン（ＰＳ）、スチレンアクリロニトリルコポリマー（ＡＳ）、ポリエチレンテレフタレート（ＰＥＴ）、アクリル、ポリカーボネート（ＰＣ）、アクリロニトリルブタジエンスチレン（ＡＢＳ）などの樹脂が用いられるが、成形性や取扱いの容易性からは、樹脂を使用することが好ましい。なお、本実施形態の容器本体１０では、底側筒部１１によって第１筒部が構成されて、中間筒部１２によって第２筒部が構成されて、底側筒部１１と中間筒部１２とによって容器本体１０の底部が構成されており、後述するように、少なくとも中間筒部１２が、試験の結果を目視によって確認することができる領域とされている。また、本実施形態では、底側筒部１１と中間筒部１２と開口端筒部１３とがそれぞれ段差面を介して連結されているが、容器本体１０は、開口端筒部１３から底側筒部１１に向かって段差面がなく連続して縮径した構造である、いわゆる先細り構造であってもよい。したがって、この場合には、底側筒部１１と中間筒部１２との境界、並びに、中間筒部１２と開口端筒部１３との境界は外観上なくなるが、容器本体１０の全体の中で軸方向における略中間部分を、試験の結果を目視によって確認することができる領域とすればよい。
【００２２】
底側筒部１１は、容器本体１０の底面を有する筒部である。底側筒部１１における底面の略中央には、開口端筒部１３に向けて延びる突起１１ａが突出している。突起１１ａは、開口端筒部１３に向けて細くなる形状をなしている。突起１１ａの先端と容器本体１０の底面との距離である高さＨは、底側筒部１１における軸方向の長さと同じであって、容器本体に差込まれた状態の試験片３２のガタつきを防止する高さであることが好ましく、例えば、２ｍｍ〜５ｍｍである。底側筒部１１の底面にて、突起１１ａの外周面と底側筒部１１の内側面との距離である支持幅Ｒは、突起１１ａの高さＨよりも小さく、且つ検体の試験に供される試験片の肉厚よりも大きく、試験片３２のガタつきを防止する距離であることが好ましく、例えば、１ｍｍ〜１．５ｍｍである。
【００２３】
なお、試験片３２に限られず、抽出補助部材２０の先端部も突起１１ａによって保持される構成とすることでもよいが、抽出補助部材２０の剛性により抽出効率を高める場合には、抽出補助部材２０の先端部は、突起１１ａよりも上方に配置させることが好ましい。また、容器本体１０が射出成形により一体成形される場合には、この突起１１ａが樹脂ゲートとされることが好ましい。突起１１ａに相当する部分を樹脂ゲートとして樹脂を射出すれば、樹脂の流動性が良好となるから、容器本体１０を容易に一体成形することができる。
【００２４】
中間筒部１２は、底側筒部１１の上端部に一体的に積み重なる筒部である。中間筒部１２の内径は、底側筒部１１の内径よりも大きく、中間筒部１２の肉厚は、容器本体１０の内部に配置される試験片にて、中間筒部１２の周壁を通じて発色部位が確認される程度である。例えば、中間筒部１２の透明性は、ＪＩＳＫ７１０５に準じて肉厚が１ｍｍで５０％以上の全光線透過率を有し、中間筒部１２の機械的な強度が確保される観点から、好ましくは０．５〜１．５ｍｍである。透明性と機械的強度の確保の点からは、容器本体１０の材質は、無機ガラスや、ＰＰ、ＬＬＤＰＥ、ＰＣなどが特に好ましい。具体的には、機械的強度、取扱いの容易さ、コストなどの観点から、ＰＰ又はＬＬＤＰＥを用いる射出成形で容器本体１０を一体成形する場合には、容器本体１０の肉厚を約０．６ｍｍとすると７０％以上の透過率が得られる。こうした透過率とともに、さらに試験片３２と容器本体１０との距離を１ｍｍ〜２ｍｍ程度と近い位置に配置することで、試験片３２に対する十分な視認性が確保できる。なお、容器本体１０の軸方向にて、中間筒部１２の長さは、底側筒部１１の長さよりも長い。
【００２５】
開口端筒部１３は、中間筒部１２に一体的に積み重なる筒部であって、容器本体１０のうち抽出補助部材２０と嵌合する部分である。開口端筒部１３の内径は、中間筒部１２の内径よりも大きい。開口端筒部１３の肉厚は、中間筒部１２の肉厚よりも大きく、これによって開口端筒部１３の強度が確保されるとともに、開口端筒部１３と抽出補助部材２０との嵌合力が確実なものとなっている。容器本体１０の軸方向にて、開口端筒部１３の長さは、底側筒部１１の長さよりも長く、且つ中間筒部１２の長さよりも短いが、特にこれに限定されるものではない。開口端筒部１３の長さは、先細り構造を有する容器本体１０と抽出補助部材２０との嵌合構造が確保され、試験片３２の目視による観察のための中間筒部（中間部分）の領域が確保される程度に、適宜設定されるものである。
【００２６】
容器本体１０の内側面にて、中間筒部１２と開口端筒部１３とが連結される部分には、抽出補助部材２０が必要以上に容器本体１０内に侵入するのを防止するための係止面１３ａが形成されている。本実施形態では、係止面１３ａは、中間筒部１２の内径と開口端筒部１３の内径との差である段差からなる段差面であって、容器本体１０の周方向の全体に形成されており、抽出補助部材２０を容器本体１０内に挿入していく際に、抽出補助部材２０の取付け部２１の下端面と当接し、必要以上に侵入するのを防止する（図１参照）。こうした容器本体１０と抽出補助部材２０とは、開口端筒部１３の内側面と、抽出補助部材２０の取付け部２１の外側面の一部とで嵌合している。
【００２７】
開口端筒部１３の外周面にて、中間筒部１２とは反対側の部位には、開口端筒部１３の径方向の外側に延びるフランジ部１３ｂが形成されている。また、フランジ部１３ｂの上面には、フランジ部１３ｂの全体を覆うシート部材１５が取り付けられている。このシート部材１５としては、樹脂製フィルムや樹脂製シートやアルミニウム箔を使用することができ、接着や溶着などで取り付けることができる。
【００２８】
容器本体１０の内部には、検体抽出容器を構成する抽出補助部材２０が収容されている。抽出補助部材２０は、一体的に成形される有蓋の部材であって、容器本体１０の開口端筒部１３の内側面と嵌合する円筒体状をなす取付け部２１と、取付け部２１における周壁の一部が底側筒部１１に向けて延びる板状をなす案内部２２とから構成されている。こうした抽出補助部材２０を形成する材料には、ポリプロピレン（ＰＰ）、ポリエチレン（ＰＥ）、ポリスチレン（ＰＳ）、スチレンアクリロニトリルコポリマー（ＡＳ）、ポリエチレンテレフタレート（ＰＥＴ）、アクリル、ポリカーボネート（ＰＣ）、アクリロニトリルブタジエンスチレン（ＡＢＳ）などの樹脂を用いることができるが、抽出効率を高めるための剛性や耐薬品性、不純物の溶出を低減するなどの観点からは、ＰＰやＡＳが好ましい。
【００２９】
取付け部２１を構成する周壁のうち、案内部２２以外の部分は、開口端筒部１３の内側面に倣う外周面を有している。また、取付け部２１を構成する周壁のうち、案内部２２以外の部分は、開口端筒部１３の軸方向にて、開口端筒部１３よりも若干短い。そして、開口端筒部１３の内部に取付け部２１が嵌め込まれると、取付け部２１における中間筒部１２側の面と係止面１３ａとが当接して、抽出補助部材２０の中間筒部１２側への移動が規制される。
【００３０】
案内部２２の側面のうち、開口端筒部１３の内側面と向い合う部分と中間筒部１２の内側面と向い合う部分には、共通する１つの側面である案内面２２ａが形成されている。案内面２２ａは、容器本体１０の軸方向に対して傾く半円筒面形状をなして、その長手方向の縁は、開口端筒部１３の内側面と中間筒部１２の内側面とに接している。これに対して、案内面２２ａにおける縁以外の部分は、開口端筒部１３の内側面との間に隙間を有して、中間筒部１２の内側面との間にも隙間を有している。そして、開口端筒部１３の内側面のうち案内面２２ａと向い合う部分と、中間筒部１２の内側面のうち案内面２２ａと向い合う部分と、案内面２２ａとによって、通路Ｓが構成されている。
【００３１】
案内面２２ａのうち中間筒部１２と向い合う部分には、段差部分２３が形成されている。この段差部分２３は、検体採取棒３１の採取部３１ａを擦りながら又はしごきながら検体を採取するためのものであり、案内面２２ａの全面に設けてもよいが、検体が不要な案内面２２ａに付着することを低減するとともに効率的に抽出する観点からは、抽出液１０Ｌの近傍に設けることが好ましい。したがって、段差部分２３を容器本体１０の全長に対して約１／２よりも下方側に設けるようにすることが好ましい。段差部分２３の形状としては、ノコギリ歯状や階段状のような形状であってもよいが、検体抽出時における採取部３１ａとの摺動性を確保する上では、図１に示すような凹凸状とすることが好ましい。本実施形態では、例えば５つの凹凸状の段差部分２３とされており、５つの段差部分２３の各々は、中間筒部１２の内側面に向けて突出する部分であり、容器本体１０の軸方向にて等しい間隔を空けている。また、案内部２２のうち段差部分２３が形成される部分には、３つの拡散孔２４が形成されている。３つの拡散孔２４の各々は、中間筒部１２の径方向に案内部２２を貫通する孔であり、これもまた容器本体１０の軸方向にて等しい間隔を空けている。また、３つの拡散孔２４の各々は、５つの段差部分２３が形成される範囲のうち、中間筒部１２の内側面から相対的に離れた部分に配置されている。
【００３２】
ここで、容器本体１０の内側面と案内面２２ａとによって囲まれる通路Ｓにて、開口端筒部１３の径方向における通路Ｓの幅を案内幅Ｇとする。この案内幅Ｇは、開口端筒部１３にて中間筒部１２よりも大きく、開口端筒部１３の内部から段差部分２３まで徐々に減少している。そして、案内幅Ｇは、中間筒部１２の内部では、５つの段差部分２３が形成される範囲にて、段差に応じて同じ程度の増加と減少とを繰り返す。
【００３３】
図２に示されるように、取付け部２１の上面である蓋面２１ａの縁は、開口端筒部１３の内径と同じ長さの外径Ｄからなる円弧部分Ｃ１と、蓋面２１ａの内側に張り出される弧状をなす案内縁Ｃ２とから構成されている。この蓋面２１ａの内部には、矩形孔である支持孔２１Ｈが形成されている。支持孔２１Ｈは、円弧部分Ｃ１から所定の距離Ｌを空けて、取付け部２１の蓋部を貫通している。また、支持孔２１Ｈは、底側筒部１１における開口縁１１ｃの直上に形成される孔であって、蓋面２１ａにおける支持孔２１Ｈの外接円は、底側筒部１１の内側面が容器本体１０の軸方向に投影された円である。
【００３４】
案内面２２ａは、検体の抽出効率の向上と抽出補助部材２０の剛性や強度を確保する観点から、容器本体１０の内側に張り出される弧状をなす曲面であって、上述の案内縁Ｃ２に倣う弧が蓋面２１ａの下方に向けて連続する形状をなしている。こうした案内面２２ａと容器本体１０の内側面とによって囲まれる通路Ｓは、楕円筒面形状の周面によって容器本体１０の内部に区画されている。この通路Ｓの断面積は、開口端筒部１３の内部では、底側筒部１１に近い部位ほど小さい。そして、通路Ｓの断面積は、中間筒部１２の内部では、５つの段差部分２３が形成される範囲にて、段差に応じて同じ程度の増加と減少とを繰り返す。
【００３５】
図３に示されるように、案内面２２ａの長手方向と直行する方向を幅方向とすると、５つの段差部分２３の各々は、案内面２２ａにて幅方向の全体に連続する部分であり、案内面２２ａの幅方向の全体に等しい段差を有している。なお、案内面２２ａにおける幅方向の長さである差込み幅Ｗは、取付け部２１側から底側筒部１１側に向けて徐々に小さくなる。差込み幅Ｗがこうした傾向を有することによって、半円筒面形状をなす案内面２２ａの縁は、容器本体１０の軸方向に対して傾いた状態で、容器本体１０の内側面と接触することになる。
【００３６】
上述の検体抽出容器の作用を図４から図６を参照して以下に説明する。
図４に示されるように、まず、容器本体１０の内部に抽出補助部材２０と抽出液１０Ｌとが収容される状態で、フランジ部１３ｂからシート部材１５が剥がされる。これによって、開口端筒部１３の開口から通路Ｓと支持孔２１Ｈとが露出して、容器本体１０の内側面と案内面２２ａと抽出液１０Ｌとが外気に曝される。次いで、図５に示されるように、検体が採取された後の検体採取棒３１が、採取部３１ａから順に通路Ｓの内部に差込まれる。
【００３７】
この際、検体が採取された後の採取部３１ａは、開口端筒部１３の内側面と案内面２２ａとの隙間から容器本体１０の内部へ差込まれる。そして、容器本体１０の内部に差込まれた採取部３１ａは、案内面２２ａの段差部分２３に擦れながら中間筒部１２の中心に向けて案内部２２の底側の端部を撓ませて、抽出液１０Ｌに浸かる。それゆえに、検体採取棒３１が単に抽出液１０Ｌに浸けられる態様と比べて、検体の抽出される確率が高められる。
【００３８】
しかも、容器本体１０の開口端筒部１３から差込まれる検体採取棒３１は、まず、案内幅Ｇが相対的に大きい部分を通過する。そして、容器本体１０の底側筒部１１に向かう検体採取棒３１は、二点鎖線で示されるように、案内幅Ｇが相対的に小さい部分に到達する。この間、検体採取棒３１の採取部３１ａは、案内幅Ｇが単調に減少する側に向けて差込まれる。それゆえに、採取部３１ａが開口端筒部１３に擦れることを抑えて、検体が開口端筒部１３に付着することを抑えることが可能となる。また、採取部３１ａが案内面２２ａから外れることが抑えられて、採取部３１ａが段差部分２３に到達する確率が高められる。そして、採取部３１ａが案内面２２ａの段差部分２３と擦れることを促して、検体が抽出液に抽出されることを促すことが可能となる。
【００３９】
また、検体採取棒３１にて検体が採取される部位である採取部３１ａは、綿等から形成される楕円体状をなしている。この点、案内面２２ａにおける断面の形状が、容器本体１０の内側に張り出される弧状であるから、上述の採取部３１ａにおける外周面と案内面２２ａとの接触する確率は、案内面２２ａが平坦面である場合と比べて高くなる。結果として、検体採取棒３１に採取される検体が抽出液１０Ｌに抽出される確率を高めることが可能となる。
【００４０】
また、検体採取棒３１から検体が抽出される部位である段差部分２３では、案内部２２を貫通する拡散孔２４を通じて、抽出液１０Ｌが流通する。これによれば、容器本体１０の内側面と案内面２２ａとの隙間にて検体が抽出されるとはいえ、こうして抽出される検体は、案内面２２ａに対して通路Ｓとは反対側にも拡散孔２４を通じて拡散する。結果として、抽出液１０Ｌの内部にて検体の偏りが抑えられるから、特に検体採取棒に付着した検体が微量である場合にも、試験の信頼性が高まることとなる。
【００４１】
採取部３１ａが抽出液１０Ｌに浸けられると、図６に示されるように、検体の試験に供される試験片３２が、取付け部２１の蓋部に形成される支持孔２１Ｈを通じて、容器本体１０の内部に差込まれる。こうして差込まれた試験片３２は、取付け部２１の蓋部によって支持されて、容器本体１０の内部における位置や容器本体１０の内側面との距離を安定させる。結果として、試験片３２の位置のばらつきや容器本体１０の内側面と試験片３２との距離のばらつきが抑えられるから、特に抽出液１０Ｌの移動する速度が試験片３２で試験される場合には、その試験の信頼性が高められることとなる。
【００４２】
この際、底側筒部１１における内部の空間が、中央部分と中央部分以外とに突起１１ａによって区画されている。そして、取付け部２１の支持孔２１Ｈから底面に向けて差込まれる試験片３２の先端部３２ａは、中間筒部１２の内側面と底側筒部１１の内側面とによって底面の中央に案内されて、底側筒部１１の内側面と突起１１ａの外側面との間に到達する。なお、底側筒部１１における開口縁１１ｃの直上に支持孔２１Ｈが形成されるため、支持孔２１Ｈが開口縁１１ｃの直上に形成されない構成と比べて、試験片３２の先端部３２ａによるこうした差込みは容易となる。
【００４３】
そして、試験片３２の先端部３２ａが容器本体１０の底面に到達すると、抽出液１０Ｌに抽出された検体中の所定の物質が、試験片３２を開口端筒部１３側に向けて移動して、判定部３２ｂにて発色する。これによって、検体の中に所定の物質が含まれるか否かが、目視によって確認される。
【００４４】
ここで、上述の通路Ｓや案内面２２ａによれば、容器本体１０の周壁が指によって変形されなくとも、案内面２２ａにおける段差部分２３と検体採取棒３１との接触が容易に実現される。また、容器本体１０と抽出補助部材２０とが各別の部材であるから、容器本体１０の内側面における構造や容器本体１０を形成する材料に対して、検体採取棒３１と擦れるうえでの制約が軽減される。それゆえに、容器本体１０の構造や容器本体１０を形成する材料に関して、透明性に特化した構成を選択することが可能となる。結果として、試験片３２における試験の結果を目視によって確認することが容易にもなる。
【００４５】
また、中間筒部１２における内径が、底側筒部１１における内径よりも大きいため、中間筒部１２における内側面と試験片３２との距離も、底側筒部１１における内側面と試験片３２との距離よりも大きくなる。したがって、中間筒部１２における内側面と試験片３２との接触が抑えられ、さらに、試験片３２と容器本体１０の内側面との距離が取付け部２１における支持孔２１Ｈの長手方向の端部によって規制されることにより、中間筒部１２における内側面と試験片３２との間での毛細管現象が抑えられる。それゆえに、特に抽出液１０Ｌの移動する速度が試験片３２で試験される場合には、試験の信頼性が高められることとなる。
【００４６】
以上説明したように、本実施形態によれば、以下に列挙する効果が得られる。
（１）容器本体１０の周壁が指によって変形されなくとも、案内面２２ａにおける段差部分２３と検体採取棒３１との接触が容易に実現されるため、容器本体１０に求められる可撓性の度合いを抑えることが可能となる。
【００４７】
（２）容器本体１０と抽出補助部材２０とが各別の部材であるから、容器本体１０の内側面における構造や容器本体１０を形成する材料に対して、検体採取棒３１と擦れるうえでの制約が軽減される。
【００４８】
（３）容器本体１０の透明性と同じ程度の透明性が抽出補助部材２０には求められないため、抽出補助部材２０における構造や材料に対して、容器本体１０の内部が目視によって確認されるうえでの制約が軽減される。
【００４９】
したがって、検体抽出容器における設計の自由度を高めることが可能となる。
（４）案内面２２ａにおける断面の形状が、容器本体１０の内側に張り出される弧状であるから、採取部３１ａの外周面と案内面２２ａとが接触する確率を高めることが可能となる。結果として、検体採取棒３１に採取される検体が抽出液１０Ｌに抽出される確率を高めることが可能となる。
【００５０】
（５）容器本体１０の内側面と案内面２２ａとの隙間にて検体が抽出されるとはいえ、こうして抽出される検体は、案内面２２ａに対して通路Ｓとは反対側にも、拡散孔２４を通じて拡散する。結果として、抽出液１０Ｌの内部にて検体の偏りが抑えられるから、特に検体採取棒３１に付着した検体が微量である場合にも、試験の信頼性が高まることとなる。
【００５１】
（６）３つの拡散孔２４の各々は、５つの段差部分２３が形成される範囲のうち、中間筒部１２の内側面から相対的に離れた部分に配置されている。それゆえに、段差を有しない拡散孔２４が案内面２２ａに形成されるとはいえ、５つの段差部分２３の全体で機能が概ね維持される。
【００５２】
（７）検体の試験に供される試験片３２は、取付け部２１の蓋部によって支持されて、容器本体１０の内部における位置や容器本体の内側面との距離を安定させる。結果として、試験片３２の位置のばらつきや容器本体１０の内側面と試験片との距離のばらつきが抑えられるから、特に抽出液の移動する速度が試験片３２で試験される場合には、その試験の信頼性が高められることとなる。また、試験の結果が視認できる程度に、試験片３２と容器本体１０の内側面とを近くすることが可能であるから、試験の結果を視認することが容易にもなる。さらに、試験片３２が略垂直に静置されるから、試験片３２に対する抽出液の展開が試験片３２ごとに均一になり、試験の再現性が高められもする。
【００５３】
（８）中間筒部１２における内径が、底側筒部１１における内径よりも大きいため、中間筒部１２における内側面と試験片３２との距離も、底側筒部１１における内側面と試験片３２との距離よりも大きくなる。結果として、中間筒部１２における内側面と試験片３２との接触が抑えられるから、特に抽出液１０Ｌの移動する速度が試験片３２で試験される場合には、試験の信頼性が高められることとなる。
【００５４】
（９）開口端筒部１３から差込まれる検体採取棒３１は、まず、容器本体１０の内側面と案内面２２ａとの距離が相対的に大きい部分を通過して、次いで、容器本体１０の内側面と案内面２２ａとの距離が相対的に小さい部分に到達する。それゆえに、検体採取棒３１が容器本体１０の開口端筒部１３に擦れることを抑えて、検体が開口端筒部１３に付着することを抑えることが可能となる。また、検体採取棒３１が案内面２２ａの段差部分２３と擦れることを促して、検体が抽出液１０Ｌに抽出されることを促すことが可能となる。
【００５５】
（１０）開口端筒部１３から差込まれる検体採取棒３１は、容器本体１０の内側面と案内面２２ａとの距離が単調に減少する隙間に向けて差込まれて段差部分２３に到達する。結果として、採取部３１ａが案内面２２ａから外れることが抑えられて、採取部３１ａが段差部分２３に到達する確率が高められる。
【００５６】
（１１）検体の抽出と試験と試験結果の判定とが、１組の容器本体１０と抽出補助部材２０とで行われ、且つ、これらの動作が１つの容器本体１０の内部で完結するから、検体が抽出された後の抽出液の漏れや飛散が、より高い確率で抑えられる。
【００５７】
上記実施形態は、以下のように変更して実施することもできる。
・開口端筒部１３の開口を封止する部材は、フランジ部１３ｂに溶着されるシート部材１５に限らず、開口端筒部１３の内部に圧入される蓋体や開口端筒部１３にねじ止めされる蓋体であってもよい。こうした構成であっても、上述の（１）から（１１）に準じた効果を得ることは可能である。
【００５８】
・容器本体１０の内部に抽出液１０Ｌのみが収容されて、検体採取棒３１に対して抽出が行われる際に、抽出補助部材２０が容器本体１０に取付けられてもよい。この際、フランジ部１３ｂからシート部材１５が剥がされて、容器本体１０の内部に抽出補助部材２０が差込まれてもよい。あるいは、図７に示されるように、フランジ部１３ｂにシート部材１５が溶着された状態で案内部２２によってシート部材１５が破られて、容器本体１０の内部に抽出補助部材２０が差込まれてもよい。こうした取付けの態様によれば、抽出補助部材２０における案内部２２以外の各部に抽出液１０Ｌが付着することが抑えられる。結果として、検体が抽出される際に、抽出液１０Ｌの液面の位置を安定させることが可能となる。
【００５９】
・通路Ｓでは、開口端筒部１３の内部から段差部分２３までの範囲にて、案内幅Ｇが、増加してもよく、あるいは、増加と減少とが繰り返されてもよい。こうした構成であっても、上述の（１）から（８）に準じた効果を得ることは可能である。
【００６０】
・底側筒部１１の内径は、中間筒部１２の内径と同じであってもよく、あるいは中間筒部１２の内径よりも大きくてもよい。こうした構成であっても、上述の（１）から（７）、（９）から（１１）に準じた効果を得ることは可能である。
【００６１】
・突起１１ａの高さＨは、底側筒部１１の深さよりも大きくてもよく、突起１１ａの配置は、底面の中央以外であってもよい。また、突起１１ａの数量は、１以上であってもよい。要は、突起１１ａの高さＨや突起１１ａの配置は、案内部２２の撓みを阻害せずに試験片３２の先端部３２ａを位置決めするものであればよい。なお、突起１１ａそのものが底側筒部１１から割愛されてもよい。こうした構成であっても、上述の（１）から（６）、（８）から（１１）に準じた効果を得ることは可能である。
【００６２】
・取付け部２１は、開口端筒部１３の内部に嵌め込まれる構造に限らず、例えば、開口端筒部１３の外径よりも大きい内径を有する筒体形状をなして、開口端筒部１３のフランジ部１３ｂや開口端筒部１３の外周面に取付けられる構造であってもよい。こうした構成であっても、上述の（１）から（１１）に準じた効果を得ることは可能である。
【００６３】
・抽出補助部材２０は、取付け部２１から支持孔２１Ｈが割愛される構成であってもよい。こうした構成であっても、上述の（１）から（６）、（８）から（１１）に準じた効果を得ることは可能である。なお、この際、開口端筒部１３の内部に対して、取付け部２１の取付けと取り外シート部材が可能な構成が好ましい。あるいは、取付け部２１そのものが抽出補助部材２０から割愛されて、抽出補助部材２０が開口端筒部１３の内部に嵌め込まれる板状をなす構成が好ましい。
【００６４】
・拡散孔２４は、５つの段差部分２３が形成される範囲のうち、中間筒部１２の内側面から相対的に近い部分に配置されてもよい。こうした構成であっても、拡散孔２４の周囲には段差が形成されることから、上述の（１）から（５）、（７）から（１１）に準じた効果を得ることは可能である。なお、拡散孔２４そのものが案内部２２から割愛されてもよい。こうした構成であっても、拡散孔２４の周囲には段差が形成されることから、上述の（１）から（４）、（７）から（１１）に準じた効果を得ることは可能である。
【００６５】
・案内面２２ａは、その全体に段差を有してもよい。なお、案内面２２ａに形成される段差は、案内面２２ａにおける長手方向に一カ所だけ形成されてもよく、あるいは、案内面２２ａにおける幅方向の一部分に形成されてもよい。例えば、案内面２２ａに形成される段差部分２３は、案内面２２ａの一部分に形成される突起であってもよく、案内面２２ａの長手方向に延びる突条であってもよい。
【００６６】
・案内部２２における長手方向の縁は、開口端筒部１３の内側面や中間筒部１２の内側面から離れていてもよい。要は、案内面２２ａは、開口端筒部１３の内側面や中間筒部１２の内側面と向い合う側面であって、開口端筒部１３の内側面との間に隙間を有して、中間筒部１２の内側面との間に隙間を形成することの可能な側面であればよい。
【００６７】
・案内面２２ａは、平坦面であってもよく、あるいは、案内面２２ａの断面の形状は、容器本体１０の外側に張り出される弧状であってもよい。こうした構成であっても、上述の（１）から（３）、（５）から（１１）に準じた効果を得ることは可能である。
【００６８】
・図８に示されるように、抽出補助部材２０は、容器本体１０の開口端筒部１３から容器本体１０の底部に向けて延びる案内面２２ａを２つ有し、互いに向かい合う２つの案内面２２ａの隙間によって１つの通路Ｓが構成されてもよい。この際、２つの案内面２２ａの隙間である案内幅に関して、容器本体１０の開口端筒部１３における案内幅が容器本体１０の底部における案内幅よりも大きいことが好ましい。さらには、２つの案内面２２ａの隙間である案内幅が、容器本体１０の開口端筒部１３の内部から段差部分２３まで徐々に減少することがより好ましい。この形態の抽出補助部材２０でも、射出成形により一体に成形することができる。
【００６９】
・図９に示されるように、抽出補助部材２０は、容器本体１０の開口端筒部１３から容器本体１０の底部に向けて延びる筒部を通路Ｓとして有して、この筒部の内周面が案内面２２ａであってもよい。この際、通路Ｓの内径である案内幅に関して、容器本体１０の開口端筒部１３における案内幅が容器本体１０の底部における案内幅よりも大きいことが好ましい。さらには、２つの案内面２２ａの隙間である案内幅が、容器本体１０の開口端筒部１３の内部から段差部分２３まで徐々に減少することがより好ましい。なお、こうした通路Ｓは、円筒形状や楕円筒形状の他に矩形筒形状にも具体化することが可能である。この形態の抽出補助部材２０でも、金型をいわゆる「ムリ抜き」構造とすることで、射出成形により一体に成形することができる。
【００７０】
・容器本体１０を形成する材料と抽出補助部材２０を形成する材料とは、同じ材料であってもよく、あるいは、互いに異なる材料であってもよい。このような構成であっても、上述の（１）に記載されるように、容器本体１０の周壁が指によって変形されなくなる以上、例えば、容器本体１０の肉厚を厚くして機械的な強度を高める設計の要請に応えることが可能にもなる。また、上述の（２）に記載されるように、容器本体１０と抽出補助部材２０とが各別の部材であるから、例えば、容器本体１０の内側面を平坦面として加工性を高める設計の要請に応えることが可能にもなる。
【符号の説明】
【００７１】
Ｄ…外径、Ｇ…案内幅、Ｈ…高さ、Ｌ…距離、Ｒ…支持幅、Ｓ…通路、Ｗ…差込み幅、Ｃ１…円弧部分、Ｃ２…案内縁、１０…容器本体、１０Ｌ…抽出液、１１…底側筒部、１１ａ…突起、１１ｃ…開口縁、１２…中間筒部、１３…開口端筒部、１３ａ…係止面、１３ｂ…フランジ部、１５…シート部材、２０…抽出補助部材、２１…取付け部、２１ａ…蓋面、２１Ｈ…支持孔、２２…案内部、２２ａ…案内面、２３…段差部分、２４…拡散孔、３１…検体採取棒、３１ａ…採取部、３２…試験片、３２ａ…先端部、３２ｂ…判定部。
【図１】
0005906785.tif 000002
【図２】
0005906785.tif 000003
【図３】
0005906785.tif 000004
【図４】
0005906785.tif 000005
【図５】
0005906785.tif 000006
【図６】
0005906785.tif 000007
【図７】
0005906785.tif 000008
【図８】
0005906785.tif 000009
【図９】
0005906785.tif 000010